(57)【要約】      （修正有）【課題】ハンズフリーキットと同様に移動電話機のジャックに差し込むことが出来る個人識別デバイスを提供する。【解決手段】移動電話機によって無線信号として送信される模擬電話活動が、移動電話機の音声またはデータコネクタに差し込まれるハンズフリーキットで発生される。移動電話機は無線信号として模擬電話活動を送信する。無線信号はハンズフリーキットのアンテナで検出される。次に、検出された無線信号は、発生されている間に模擬電話活動を調整するために使用される。調整は、無線信号のエアインタフェース標準に従うように模擬電話活動のタイミングおよび振幅を変えることができる。【選択図】図３
2004304786.tif 000002
【特許請求の範囲】
【請求項１】
移動電話機の差し込みコネクタに接続されるように構成されたコネクタと、
前記コネクタに結合し、前記移動電話機によって無線信号として送信される模擬電話活動を発生する手段と、
前記模擬電話活動に対応する送信無線信号を検出する手段と、
前記発生する手段および検出する手段に接続され、前記模擬電話活動を発生する間に検出無線信号に従って前記模擬電話活動を適応させる手段と
を備えたワイヤレス通信ネットワークにおける移動電話機用装置。
【請求項２】
前記模擬電話活動は音声信号である請求項１に記載の装置。
【請求項３】
前記模擬電話活動はデータ信号である請求項１に記載の装置。
【請求項４】
前記模擬電話活動は固有識別を符号化する請求項１に記載の装置。
【請求項５】
前記模擬電話活動は前記電話機によって受信される無線信号に応答して発生される請求項１に記載の装置。
【請求項６】
前記検出無線信号のエアインタフェース標準を識別する手段と、
前記エアインタフェース標準に従って前記模擬電話活動を適応させる手段と
をさらに備える請求項１に記載の装置。
【請求項７】
前記検出無線信号の包絡線を検出する手段
をさらに備える請求項１に記載の装置。
【請求項８】
前記模擬電話活動のタイミングが調整される請求項１に記載の装置。
【請求項９】
前記模擬電話活動の信号レベルが調整される請求項１に記載の装置。
【請求項１０】
前記発生する手段、前記検出する手段、および前記調整する手段は閉ループを形成する請求項１に記載の装置。
【請求項１１】
前記模擬電話活動のスペクトル内容が調整される請求項１に記載の装置。
【請求項１２】
前記模擬電話活動の自己相関特性が調整される請求項１に記載の装置。
【請求項１３】
移動電話機から電力を取り出す手段
をさらに備える請求項１に記載の装置。
【請求項１４】
前記電力を取り出す手段は整流器を含む請求項１３に記載の装置。
【請求項１５】
前記模擬電話活動は模擬無音をさらに含む請求項２に記載の装置。
【請求項１６】
前記音声信号の振幅は所定しきい値を超える請求項２に記載の装置。
【請求項１７】
前記検出無線信号の途絶を検出する手段と、
検出された途絶に応答して前記模擬電話活動を再発生する手段と
をさらに備える請求項１に記載の装置。
【請求項１８】
移動電話機によって無線信号として送信される模擬電話活動を発生すること、
前記模擬電話活動に対応する送信無線信号を検出すること、
前記模擬電話活動を発生する間に検出無線信号に従って前記模擬電話活動を適応させること
を含む移動電話機によって送信される信号の適応方法。
【発明の詳細な説明】
【技術分野】
【０００１】
［発明の分野］
この発明は、包括的にはワイヤレス通信システムに関し、特に、移動電話機を位置標定し識別することに関する。
【背景技術】
【０００２】
［発明の背景］
移動電話機は、さまざまな位置で通信することができるために広く使用されている。
【０００３】
図１は、典型的な従来技術の移動電話通信システム１００を示している。システムは移動電話機１１０を含み、これは基地局１２０へアップリンク無線信号１１１を送信する。基地局１２０は移動電話機へダウンリンク無線信号１１２を送信する。また基地局１２０は、コネクション１２２を通じて電話機器１３０にも接続されている。コネクション１２２は通常、公衆交換電話網（ＰＳＴＮ）の一部である。電話機器１３０は、他の電話機、コンピュータに接続された自動応答ユニットまたはモデム、およびサーバ１４０を含み得る。システム１００は、移動電話機１１０と電話機器１３０の間のポイントツーポイント双方向コネクションを提供する。移動電話機のために頻繁に使用される付属品として、ハンズフリーキット（ＨＦＫ）がある。
【０００４】
図２は、移動電話機１１０とともに使用される典型的な従来技術のＨＦＫ２００を示している。キットはオス型ジャック２１０を含み、これは移動電話機１１０のハウジングに取り付けられたメス型ジャック２２０に結合する。ＨＦＫ２００は、ケーブル２３０およびイヤホン２４０をさらに含む。イヤホン２４０はケーブル２３０に結合し、オス型ジャック２１０およびメス型ジャック２２０ならびにケーブル２３０を通じて移動電話機１１０から受信される電気信号に応答して可聴音信号を発生するように適応している。
【０００５】
ＨＦＫ２００はマイクロホン２５０をさらに含む。マイクロホン２５０もまたケーブル２３０に結合し、検出された音信号に応答して電気信号を発生するように適応している。マイクロホン２５０により発生される信号は、ケーブル２３０ならびにオス型ジャック２１０およびメス型ジャック２２０を通じて移動電話機１１０に伝わる。利点として、移動電話機のユーザはＨＦＫ２００を身に着けて、他の作業を行うためにユーザの手を解放することができる。
【０００６】
移動電話機１１０は、模擬電話活動を用いて、無線送信の包絡線を検出する受信機とワイヤレス通信することができる。模擬電話活動は、音声信号またはデータ信号であり得る。この通信技法の典型的な用途は、移動電話機を位置標定し、識別し、または認証することである。この応用は通常、電話機器１３０に接続された認証サーバ１４０へのコネクションを通じて実現される。関連出願に記載されている個人識別デバイスは、既存の移動電話機、ワイヤレスネットワーク、およびワイヤレス通信エアインタフェース標準を変更することを必要とせずにこのようなコネクションを実現する。個人識別デバイスは、移動電話機への変更を必要とせずに、移動電話機に上記の機能を与えるような、移動電話機のための外部デバイスである。
【発明の開示】
【発明が解決しようとする課題】
【０００７】
移動電話機によって送信される無線信号のパラメータは、エアインタフェース標準、例えばGlobal System for Mobile communications（ＧＳＭ）標準によって規定されている。したがって、個人識別デバイスの設計の詳細は、最適パフォーマンスを達成するために、使用されているエアインタフェース標準に適応させられる。複数のエアインタフェース標準で最適パフォーマンスを提供する単一のＰＩＤ設計があれば有利であろう。
【０００８】
また、移動電話機からの無線送信の包絡線が所望のパターンに厳密に従うことを保証する個人識別デバイスがあれば有利であろう。また、移動電話機から電力を取得し、独立の電源やバッテリを必要としない個人識別デバイスがあれば有利であろう。
【課題を解決するための手段】
【０００９】
［発明の概要］
この発明は、ハンズフリーキットと同様に移動電話機のジャックに差し込むことができる個人識別デバイス（ＰＩＤ）を提供する。ＰＩＤは、移動電話機によって送信される無線信号を受信することが可能なアンテナを含む。検出される無線信号の包絡線変動のパターンを監視することによって、ＰＩＤは、移動電話機によって使用されているエアインタフェース標準を検出する。例えば、エアインタフェース標準はGlobal System for Mobile communications（ＧＳＭ）標準であり得る。エアインタフェース標準を判定した後、ＰＩＤは、使用されている標準のために、自己の動作を適応的に最適化することができる。
【００１０】
個人識別デバイスは模擬電話活動（例えば、音声またはデータ信号）を発生する。模擬電話活動の目的は、移動電話機に、特定の包絡線変動パターンで無線信号を送信させることである。この発明により提供されるＰＩＤは、実際に送信される包絡線パターンを監視し、所望のパターンが送信されることをより良く保証するように模擬電話活動のパラメータを調整する。
【００１１】
ＰＩＤはその機能を実行するために電力を必要とする。電力源としてバッテリを使用することが可能であるが、この発明により提供されるＰＩＤは、イヤホンジャックから受信する信号から電力を取り出すことによってバッテリを不要にする。
【発明の効果】
【００１２】
この発明は、個人識別デバイスにおいて電力源を不要にする。これにより、個人識別デバイスの製造業者は、いかなるエアインタフェース標準を電話機が使用するかにかかわらず、すべての移動電話機で機能する単一のユニバーサルなモデルを生産することができる。これは、マルチ標準対応の移動電話機のユーザにとって特に有利である。この発明は、識別器へ伝えられる識別メッセージ中の誤りのおそれをなくす。また、この発明は、識別メッセージの伝送速度を最大化する。
【発明を実施するための最良の形態】
【００１３】
［好ましい実施形態の詳細な説明］
基本的なデバイスの構造および動作
図３は、ハンズフリーキット２００と同様に移動電話機１１０のジャック２２０に差し込むことができる個人識別デバイス（ＰＩＤ）５００の基本機能コンポーネントを示している。
【００１４】
ＰＩＤ５００は、ジャック３１０を通じて移動電話機１１０から第１電話信号を受信する。しかし、従来のＨＦＫ２００のようにイヤホンで音を生成する代わりに、ＰＩＤは、オーディオ信号検出器３２０を用いて、第１電話信号に符号化されている第１メッセージを抽出する。検出された信号は処理される（３４０）。符号化されている第１メッセージの内容に基づいて、ＰＩＤは第２電話信号を発生し（３３０）、これは、従来のＨＦＫ２００がマイクロホン２５０から得られる信号を送出するのと同様に、ジャック３１０を通じて移動電話機に供給される。第２電話信号は、移動電話機１１０に、模擬電話活動に従うパターンで変調された包絡線を有する無線信号１１１を送信させる目的で、実際の電話機ユーザの電話活動を模擬する。模擬電話活動は、音声またはデータ信号の形式であり得る。
【００１５】
個人識別システム
図４は、模擬電話活動によって無線信号１１１の包絡線を変調することに基づく個人識別システムを示している。移動電話機１１０の近くに位置する移動電話識別器４２０が送信信号１１１の変調包絡線を検出する。ＰＩＤ５００は、第２メッセージを送信包絡線変動のパターンに符号化するように模擬電話活動を調整する。第２メッセージは、移動電話機１１０の識別を伝える。移動電話識別器４２０は、第２メッセージを復号することにより、移動電話機１１０を識別する。
【００１６】
移動電話機によって送信される無線信号のパラメータは、エアインタフェース標準、例えばGlobal System for Mobile communications（ＧＳＭ）標準によって規定される。したがって、ＰＩＤ５００の設計の詳細は、最適パフォーマンスを達成するために、使用されているエアインタフェース標準に適応させられる。複数のエアインタフェース標準で最適パフォーマンスを提供する単一のＰＩＤ設計があれば有利であろう。
【００１７】
詳細なデバイス構造
図５は、この発明による個人識別デバイス（ＰＩＤ）５００の詳細な構造を示している。ＰＩＤ５００は、図３に示した基本機能コンポーネント（ＰＩＤ回路５１０で表す）を含む。ＰＩＤ５００は、無線周波（ＲＦ）包絡線検出器５２０に接続された無線アンテナ５２５も含む。包絡線検出器５２０は、オーディオ信号発生器５３０およびプロトコル検出器５４０に供給される検出ＲＦ包絡線を発生する。
【００１８】
プロトコル検出器５４０は、移動電話機によって送信される無線信号の包絡線変動パターンを検査することによって、移動電話機１１０により使用される無線通信プロトコルを識別する。異なるエアインタフェース標準は異なるプロトコルを使用するので、プロトコル検出器５４０は、移動電話機によって使用されるエアインタフェース標準を識別する。プロトコル検出器は、移動電話機によって使用されるエアインタフェース標準の識別をオーディオ発生器５３０に通知する。するとオーディオ発生器は、使用されているエアインタフェース標準に第２信号を適応させるように特定の手続きを選択する。
【００１９】
ＲＦ包絡線検出器５２０からオーディオ信号発生器５３０への直接接続が有利である。というのは、この接続により、オーディオ信号発生器は、発生されるオーディオ信号の効果を観測することができるからである。例えば、オーディオ信号のレベルまたはタイミングが、移動電話機１１０に所望のＲＦ包絡線パターンを送信させるために適したものでない場合、オーディオ信号発生器５３０は、その差異を観測することが可能であり、所望の結果を達成するために必要に応じて、発生されるオーディオ信号のレベルまたはタイミングを調整することができる。
【００２０】
オーディオ信号の他のパラメータもまた、このような閉ループ方式で調整することができる。例えば、模擬電話活動のスペクトル内容および自己相関特性は、通常の音声を精密に模倣するように、オーディオ信号発生器５３０によって調整される。模擬電話活動が移動電話機１１０によって音声として認識されない場合、ＲＦ包絡線は所望のパターンを示さない。その場合、オーディオ信号発生器は、所望のＲＦ包絡線パターンをより良く達成するように、スペクトル内容もしくは自己相関またはその両方を調整することができる。
【００２１】
ＤＣ電力発生器５５０が、メス型ジャック２２０を通じて移動電話機によって提供される電話オーディオ信号から電力を取り出す。移動電話機によって提供されるオーディオ信号は、可聴音を発生するのに十分な電力で受動イヤホン２４０を駆動することが意図されているので、音発生に十分な所定電力レベルを送出する能力を有する。
【００２２】
ＤＣ電力発生器５５０は、従来通り移動電話機によって提供されるオーディオ信号を整流する。整流は、信号に含まれる電力の一部を取り出し、それを、ＰＩＤ５００の電子回路に電力を供給するのに適した直流（ＤＣ）に変換する。
【００２３】
所望の整流を達成するための整流器の設計は既知である。一般的に、整流器はコンデンサを含む。電気エネルギーの大量の蓄積が必要な場合、例えば電力源が安定でない場合や信頼性がない場合には、コンデンサの容量を大きくすることができる。充電式バッテリのような、より大量の他の蓄積手段を使用してもよい。
【００２４】
この発明の有利な特徴は、第１電話信号が一定電力レベルを有するように意図的に工夫され、これにより整流器は、エネルギー蓄積用の大型のコンデンサを必要とせずに連続的な電力出力を送出できることである。別法として、第１信号が、一定ではないが安定または予測可能な変動を示す電力レベルを有し、整流器は蓄積用の小型のコンデンサしか必要としないようにすることも可能である。例えば、第１電話信号は、連続するＤＴＭＦ符号間のギャップのないＤＴＭＦ符号のストリームであり得る。
【００２５】
詳細なデバイス動作
動作中、ＰＩＤ５００は従来の移動電話機１１０のメス型ジャック２２０に接続され、移動電話機はサーバ１４０に電話呼で接続される。サーバ１４０は、第１メッセージを含む第１オーディオ電話信号を発生することが可能である。第１メッセージは、当技術分野で周知のさまざまな技法のいずれかにより第１電話信号に符号化され得る。例えば、メッセージは、周波数シフトキーイング（ＦＳＫ）として知られる技法によりオーディオ搬送波を周波数変調することによって符号化され得る。オーディオ信号は、ダウンリンク無線信号１１２により移動電話機１１０に伝わり、そこでメス型ジャック２２０から利用可能となる。
【００２６】
ＦＳＫ変調の利点は、ＦＳＫ変調信号の振幅が一定であることである。対応して、イヤホン２４０を駆動する目的でジャック２２０を通じて移動電話機１１０によって送出される電力レベルも一定である。ＰＩＤ５００では、その一定電力レベルがＤＣ電力発生器５５０によって安定なＤＣ電源に変換される。一定またはほぼ一定の電力レベルを供給する他の変調方式が既知であり、この発明の代替実施形態で使用可能である。ジャック２２０を通じて移動電話機１１０によって送出される信号は、第１メッセージを復号する目的でＰＩＤ回路５１０によっても受信される。しかし、この目的に必要なのは信号の電力のほんの少しの部分のみであり、ほとんどの電力はＤＣ電力発生器５５０のために利用可能なままである。
【００２７】
オーディオ信号発生器５３０は、マイクロホン２５０によって生成される電気信号に類似の強度およびスペクトルを有する第２電話信号を発生するように適応している。さらに、第２オーディオ電話信号は、従来の音声通信の音声活動を模擬する活動のパターンを示し、これを模擬電話活動という。デバイスが移動電話機のデータポートに差し込まれる場合、模擬電話活動はデータ信号の形式である。
【００２８】
模擬電話活動により移動電話機１１０は、送信信号のＲＦ包絡線を変動させる。この理由は、移動電話機は、マイクロホンからの電話活動を検出しない期間中に送信無線信号の平均電力レベルを低下させるからである。この低下は、エアインタフェース標準に依存する形で移動電話機によって送信される無線信号の包絡線に反映される。例えば、ＧＳＭ標準では、無音期間中よりも電話活動期間中に多くの無線信号バーストが送信される。
【００２９】
ＰＩＤ５００では、アンテナ５２５が、移動電話機１１０によって送信される無線信号を受信し、ＲＦ包絡線検出器５２０が信号の包絡線を検出する。アンテナ５２５が移動電話機１１０の送信アンテナのすぐ近くにあるため、送信信号は検出が容易であり、他のいかなる干渉無線信号よりもはるかに強力である。したがって、ＲＦ包絡線検出器５２０の設計を簡略化することができる。というのは、増幅はほとんど不要であり、他の付近の無線源からの干渉が無視できるのでフィルタリングが不要なためである。
【００３０】
ＲＦ包絡線検出器５２０は、プロトコル検出器５４０へ包絡線変動パターンを通知し、プロトコル検出器５４０はそのパターンを分析して、いずれのエアインタフェース標準が移動電話機１１０によって使用されているかを判定する。オーディオ信号発生器５３０は複数の手続きを含み得る。各手続きは、異なるエアインタフェース標準のために最適に適応している。
【００３１】
プロトコル検出器５４０は、使用されているエアインタフェース標準の識別をオーディオ信号発生器５３０に通知し、オーディオ信号発生器は、使用されている標準のために最適化された手続きを実行することができる。
【００３２】
オーディオ信号発生器５３０によって発生されるオーディオ信号は、あたかもそれがマイクロホン２５０によって発生された電話信号であるかのように、移動電話機１００によって扱われる。音声符号器がまず信号をディジタル化し、その結果として得られるビットストリームが送信のために無線搬送波上に変調される。音声符号器が信号をディジタル化する方法の詳細は、移動電話機によって使用されているエアインタフェース標準によって規定される。一般的に、音声符号器は信号を音声フレームと呼ばれる連続するセグメントに分解する。例えば、ＧＳＭ標準では、音声フレームは持続時間２０ｍｓのセグメントである。
【００３３】
各音声フレームは別個にディジタル化され送信される。例えば、ＧＳＭ標準では、各音声フレームは４個の無線送信バーストのシーケンスとして送信される。音声フレームをディジタル化する前に、音声符号器は、フレームが音声信号を含むか、それとも無音または背景雑音を含むかを判定する。一般的に、音声フレームが音声信号を含む場合、その信号が送信される。信号が雑音または無音を含む場合、信号は送信されてもされなくてもよく、あるいは信号はよりコンパクトなフォーマットで送信されてもよい。
【００３４】
そのアクションは使用される音声ゲーティングプロセスに依存し、これは使用されるエアインタフェース標準に依存する。オーディオ信号発生器５３０は、使用されているエアインタフェース標準のために最適化された手続きを使用するので、発生器は、音声符号器の特性を十分に利用して、移動電話機の送信において所望のＲＦ包絡線を実現することができる。
【００３５】
さらに、オーディオ信号発生器５３０は送信信号のＲＦ包絡線を直接に観測することができ、発生器は送信バーストのタイミングを判定することができる。送信バーストは、音声信号がどのように音声フレームにセグメント化されるかを反映するので、オーディオ発生器５３０は、音声符号器によって規定される音声フレームのタイミングを知ることができる。よって、オーディオ信号発生器５３０は、その有効性を最大化するように、発生される模擬電話活動のタイミングを調整することができる。
【００３６】
例えば、発生器は、音声と無音の間の境界が２つの音声フレーム間の境界に一致するように、模擬音声活動に続いて模擬無音を発生することができる。これは、模擬電話活動が、音声符号器による予測不可能な応答を引き起こさずに模擬電話と無音の間で交替することができるレートを最大化する。その特徴は、ＲＦ包絡線検出器５２０からの観測パターンに応答して、模擬電話活動を含む第２信号のタイミングを調整する手段を、オーディオ信号発生器５３０に含めることによって達成される。
【００３７】
一般的に、移動電話機内の音声符号器は、しきい値を設定することによって、いつ音声活動が存在するかを判定する。信号レベルがしきい値を超える場合、信号は音声信号とみなされる。超えない場合、信号は無音または雑音とみなされる。
【００３８】
オーディオ信号発生器５３０によって発生される模擬電話信号は、しきい値を超えるほど十分に強力であるが、それ以外に存在する背景雑音はしきい値を超えない。ＰＩＤはマイクロホンを使用しないので、背景雑音は本質的になくなる。オーディオ信号発生器５３０がＲＦ包絡線を直接に監視することができることにより、発生器は、必要に応じて信号レベルを調整して所望の結果を達成することができる。模擬電話活動信号の他のパラメータもまた、同様の閉ループ方式で調整することができる。
【００３９】
上記のように、模擬電話活動のスペクトル内容および自己相関特性を、オーディオ信号発生器５３０によって調整することができる。より一般的には、発生されるオーディオ信号の構造のいかなるパラメータも、オーディオ信号発生器５３０によって閉ループ方式で、すなわち、検出されるＲＦ包絡線において生じる変化を観測しながらパラメータを変動させた後、所望のＲＦ包絡線パターンを達成するようにパラメータの値を調整することによって、調整することができる。
【００４０】
この特徴は、ＲＦ包絡線検出器５２０からの観測パターンに応答して第２信号の構造を調整する手段を、オーディオ信号発生器５３０に含めることによって達成される。すべての通信システムで、伝送誤りが普通に起こり、こうした誤りに対処して、信頼できないチャネルにもかかわらず誤りのない通信を達成するための多くの技法が開発されている。例えば、受信機が、誤りが受信メッセージに存在することを検出した場合、受信機は、メッセージを再び送信するよう要求する応答を送信機へ返送して、誤りを訂正することができる。
【００４１】
ＰＩＤの場合、音声符号器の正常動作が途絶する時に伝送誤りが起こり得る。例えば、移動電話機１１０がハンドオーバを実行する時、移動電話機からの無線送信が瞬間的に中断することがあり、送信が再開する時、音声符号器の状態が移動電話機によってリセットされることがある。
【００４２】
対応して、ハンドオーバ中の短期間に、送信の包絡線は、オーディオ信号発生器５３０によって発生される模擬電話活動を反映しないことがある。同様の途絶を引き起こす他のイベントもまた、移動電話機１１０の正常動作の一部として起こり得る。
【００４３】
この発明は、前段落に記載した種類の途絶イベントを補償するので、特に有利である。オーディオ信号発生器５３０は送信されるＲＦ包絡線を連続的に監視するので、発生器は、送信ＲＦ包絡線が所望の通りに模擬電話活動に従わないということによって、いかなる途絶でも、起こると即時に検出することができる。したがって、上記の誤り訂正の例と同様にして、オーディオ信号発生器５３０が送信ＲＦ包絡線と模擬電話活動の間の差異を検出すると、発生器は、メッセージが誤りなしに検出され得るように、模擬電話活動に符号化されるメッセージを最適に再発生することができる。
【００４４】
まとめると、前の諸段落に記載されている技法によれば、ＰＩＤは、移動電話機１１０によって送信される実際のＲＦ包絡線の監視により、閉ループ方式でオス型ジャック３１０を通じて移動電話機１１０へ送出される第２信号を最適化することができる。すなわち、ＰＩＤは、発生される第２信号の特徴を調整することができ、また、移動電話機によって発生されるＲＦ包絡線に生じる変化を監視することによって、ＰＩＤはその調整を最適化し、第２信号を最適化して発生することを達成することができる。これは、ＲＦ包絡線検出器５２０からの観測パターンに応答して第２信号を調整する手段を、ＰＩＤ５００に含めることによって達成される。
【００４５】
図６は、この発明により使用される基本方法６００を示している。破線輪郭のステップは移動電話機で実行される。まず、模擬電話活動６１１が発生される（６１０）。典型的な用途では、模擬電話活動は、移動電話機またはＰＩＤ５００の固有識別を符号化する。模擬電話活動は、移動電話機によって無線信号６２１として送信される（６２０）。送信された無線信号６２１が検出され（６３０）、模擬電話活動は、模擬電話活動を発生する間に検出される無線信号に従って適応させられる（６４０）。
【００４６】
以上、この発明について好ましい実施の形態を例として説明したが、この発明の精神および範囲内で種々の他の適応および変更を行うことができることは理解されよう。したがって、添付の特許請求の範囲の目的は、この発明の真の精神および範囲内に入るすべてのそのような変形および変更を包含することである。
【図面の簡単な説明】
【００４７】
【図１】この発明によるデバイスを使用する従来の移動通信ネットワークのブロック図である。
【図２】従来技術のハンズフリーキットのブロック図である。
【図３】この発明による個人識別デバイスの基本機能コンポーネントのブロック図である。
【図４】この発明による個人識別システムのブロック図である。
【図５】この発明による個人識別デバイスの詳細な機能コンポーネントのブロック図である。
【図６】この発明による方法の流れ図である。
【図１】
2004304786.tif 000003
【図２】
2004304786.tif 000004
【図３】
2004304786.tif 000005
【図４】
2004304786.tif 000006
【図５】
2004304786.tif 000007
【図６】
2004304786.tif 000008
【外国語明細書】
2004304786.tif 000009
2004304786.tif 000010
2004304786.tif 000011
2004304786.tif 000012
2004304786.tif 000013
2004304786.tif 000014
2004304786.tif 000015
2004304786.tif 000016
2004304786.tif 000017
2004304786.tif 000018
2004304786.tif 000019
2004304786.tif 000020
2004304786.tif 000021
2004304786.tif 000022
2004304786.tif 000023
2004304786.tif 000024
2004304786.tif 000025
2004304786.tif 000026
2004304786.tif 000027